【事件の表示】
　特許第３２３００８５号「水の供給方法とその装置」の請求項１ないし５に係る特許に対する特許異議の申立てについて、次のとおり決定する。
【結　論】
　訂正を認める。
　特許第３２３００８５号の請求項１ないし５に係る特許を取り消す。
【理　由】
１．手続の経緯
　特許第３２３００８５号の発明についての出願は、平成１１年６月８日に出願され、平成１３年９月１４日にその発明についての特許権の設定登録がなされ、その後、株式会社エコマスコーポレーション、株式会社日さく、藤田清人、落合重秋、株式会社ネスター、ゼオライト株式会社より特許異議の申立てがなされ、取消しの理由が通知され、その指定期間内である平成１４年１０月１６日に意見書とともに訂正請求がなされたものである。
　
２．訂正の適否についての判断
（１）訂正の内容
　平成１４年１０月１６日付けの訂正請求に係る訂正事項は、以下のとおりである。
　
ａ．明細書の「特許請求の範囲」の欄を下記の通り訂正する。
「【請求項１】　１個の受水槽に、水道水と深井戸から汲み上げた後濾過されて飲料水に適合した水質の地下水の両方を供給し、通常の減水に対しては地下水を優先して供給することを特徴とする水の供給方法。
【請求項２】　１個の受水槽に、水道水と深井戸から汲み上げた後濾過されて飲料水に適合した水質の地下水の両方を供給し、通常の減水に対しては地下水を優先して供給し、地下水の供給系統が不作動のときには水道水を供給することを特徴とする水の供給方法。
【請求項３】　１個の受水槽に、それぞれバルブを接続した水道水供給管と深井戸から汲み上げた後濾過されて飲料水に適合した水質の地下水供給管を接続し、前記受水槽内の水位が満水状態から一定値まで低下したときに地下水供給管のバルブを開き、水位が元の満水状態に復帰したときに地下水供給管のバルブを閉じると共に、地下水の供給系統が不作動のときには水道水供給管のバルブを開くように制御することを特徴とする水の供給方法。
【請求項４】　１個の受水槽に、それぞれバルブを接続した深井戸から汲み上げた後濾過されて飲料水に適合した水質の地下水供給管と水道水供給管を接続すると共に、前記受水槽内の水の水位が第１の設定値以下に低下したことと、水の供給によって該第１の設定値まで水位が上昇したことを検出する第１のレベルセンサと、水位が前記第１の設定値になったことと水の供給により第１の設定値より高いところの第２の設定値に達したことを検出する第２のレベルセンサとを設け、前記第１のレベルセンサの出力信号により、水道水供給管のバルブ開閉を制御し、第２のレベルセンサの出力信号により、地下水供給管のバルブ開閉を制御する機構を設けたことを特徴とする水の供給装置。
【請求項５】　前記水道水供給管に接続された第１のレベルセンサが、受水槽に設けたボールタップ式のパイロットバルブであることを特徴とする請
求項４に記載の水の供給装置。」
　
ｂ．明細書の段落［００１０］の「１個の受水槽に水道水と地下水の両方を供給し」を「１個の受水槽に、水道水と深井戸から汲み上げた後濾過されて飲料水に適合した水質の地下水の両方を供給し」と訂正する。
　
ｃ．明細書の段落［００１１］の「１個の受水槽に水道水と地下水の両方を供給し」を「１個の受水槽に、水道水と深井戸から汲み上げた後濾過されて飲料水に適合した水質の地下水の両方を供給し」と訂正する。
　
ｄ．明細書の段落［００１２］の「水道水供給管と地下水供給管を接続し、該貯水槽内」を「水道水供給管と深井戸から汲み上げた後濾過されて飲料水に適合した水質の地下水供給管を接続し、前記受水槽内」と訂正する。
　
ｅ．明細書の段落［００１３］の「地下水供給管と水道水供給管を接続すると共に、該受水槽内」を「深井戸から汲み上げた後濾過されて飲料水に適合した水質の地下水供給管と水道水供給管を接続すると共に、前記受水槽内」と訂正する。
　
ｆ．明細書の段落［００１４］の「前記地下水供給管に接続された第１のレベルセンサが、受水槽に既設のボールタップ式バルブのパイロットバルブ」を「前記水道水供給管に接続された第１のレベルセンサが、受水槽に設けたボールタップ式のパイロットバルブ」と訂正する。
　
ｇ．明細書の段落［００１５］の「通常の使用に対しては地下水を多く使用し」を「通常の使用に対しては深井戸から汲み上げた後濾過されて飲料水に適合した水質の地下水を多く使用し」と訂正する。
　
ｈ．明細書の段落［００２６］の「通常は水位がこれより低下したときには、電極２９ｃの信号により」を「通常は水位がこれより低下して第４レベルＤまで降下したときには、電極２９ｂの信号により」と訂正する。
　
ｉ．明細書の段落［００３０］の「受水槽に水道水と地下水の両方を供給したとき」を「受水槽に、水道水と深井戸から汲み上げた後濾過されて飲料水に適合した水質の地下水の両方を供給したとき」と訂正する。
　
（２）訂正の目的の適否、新規事項の有無、及び特許請求の範囲の拡張・変更、独立特許要件の存否
　上記訂正事項ａは、特許請求の範囲の減縮あるいは、明りょうでない記載の釈明を目的とした明細書の訂正に該当し、新規事項の追加に該当せず、実質上特許請求の範囲を拡張し、又は変更するものではない。
　上記訂正事項ｂ〜ｇ、ｉは、特許請求の範囲の訂正に整合させたものであって、明りょうでない記載の釈明を目的とした明細書の訂正に該当し、いずれも、新規事項の追加に該当せず、実質的に特許請求の範囲を拡張し、又は変更するものではない。
　また、上記訂正事項ｈは、段落［００２１］との記載が矛盾しないようにしたものであって、明りょうでない記載の釈明を目的とした明細書の訂正に該当し、新規事項の追加に該当せず、実質的に特許請求の範囲を拡張し、又は変更するものではない。
　
（３）むすび
　したがって、上記訂正は、特許法第１２０条の４第２項及び同条第３項において準用する第１２６条第２項及び第３項の規定に適合するので、当該訂正は認められるものである。
　
３．特許異議の申立てについての判断
（１）本件発明
　上記２．で示したように上記訂正が認められるから、本件の請求項１〜５に係る発明は、上記訂正に係る訂正明細書の特許請求の範囲に記載された事項により特定されるとおりのものである。（上記２．（１）訂正事項ａ．参照。以下、請求項１〜５に係る発明をそれぞれ「本件発明１」〜「本件発明５」という。）
　
（２）引用刊行物に記載された発明
　当審が平成１４年８月１３日付けで通知した取消し理由において引用した本件出願前に頒布された刊行物１〜３には、それぞれ以下のような事項が記載されている。
　ア．刊行物１：「ＢＥ建築設備１９９８年３月号」平成１０年３月１日、社団法人建築設備綜合協会出版部、６１〜６５頁（特許異議申立人　落合重秋が提出した甲第１号証）
「既存の井水受水槽の水位制御は，一般的な電極によるもので，ある下限レベル以下に水位が低下した場合，即座に市水の供給が行われるシステムになっている。」（６１頁「１」の項７乃至９行）
「井水受水槽の１５０ｍ３，４００ｍ３共に，時間ごとの貯水量下限テーブルを作成した。…作成したテーブルは，時間ごとの需要予測ラインとし，基準より水位が下がれば１台目の井戸ポンプを運転し，急激に下げれば２台目を運転する。それでも水位が回復せず，市水補給レベルまで低下した場合は，最終的に市水を補給する。」（６４頁「６」の項１乃至８行）
　そして、６２頁の図−２には、下方左右に配置される井水受水槽（１５０ｍ３、４００ｍ３）のいずれについても、ＮＯ．１〜５の井戸ポンプからの井水と、図中中央下の市水補給路からの水道水とが供給されるものとなっており、水位センサー（同頁記載によれば超音波式水位センサー）によって、受水槽の供給水選択制御が行われるものが示されている。
　以上の記載、そして、井戸ポンプは、水位が満水状態になれば停止させることは明らかであるから、刊行物１には、次の発明がそれぞれ記載されているものと認められる。
「１個の受水槽に、市水と井水の両方を供給し、ある下限レベル以下に水位が低下した場合、即座に市水を供給する水の供給方法。」（以下、引用発明１という。）
「１個の受水槽に、市水供給管と井水供給管を接続し、前記受水槽内の水位が基準より低下したときに井戸ポンプを運転し、水位が元の満水状態に復帰したときに井戸ポンプを停止する水の供給方法。」（以下、引用発明２という。）
「１個の受水槽に、それぞれ井水供給管と市水供給管を接続すると共に、水位センサーにより、市水供給管と井水供給管からの水の給水を制御する機構を設けた水の供給装置。」（以下、引用発明３という。）
　イ．刊行物２：「雨水利用システム　設計と実務」平成９年４月１日、社団法人空気調和・衛生工学会、４７〜４９頁、１２５頁（特許異議申立人　落合重秋が提出した甲第２号証）
「雨水の不足時に備えて，貯留設備あるいは給水設備に，水道水などによる補給を行える設備としておくこと．」（ ４８ 頁の（４）項）
「３．雨水の不足時には，水道水などによる補給ができるようにする」（同４８頁の表３・１中、給水設備の主なポイント欄）
　そして、１２５頁の図５・８及び貯留槽制御系統表には、雨水を利用するシステムにおける貯留槽内に、雨水供給管と上水補給水管とが接続されて、雨水と上水とが供給されるようになっており、その水位に応じて、雨水か上水が供給されるシステムが示されている。そして、そのシステムの水供給の具体的制御は、Ｂの水位まで下がったことを電極で検知するとＦＭ弁パイロット電磁弁が開いて上水が供給され、Ｃの水位まで上がったことを電極で検知するとＦＭ弁パイロット電磁弁が閉じて上水の供給が停止され、Ｃより上位のＤの水位まで下がったことを電極で検知すると雨水流入弁が開いて雨水が供給され、Ｅの水位まで上がったことを電極で検知すると雨水流入弁が閉じて雨水の供給が停止されることになることが示されている。
　ウ．刊行物３：特開平６−４９８７７号公報（特許異議申立人　株式会社エコマスコーポレーションが提出した甲第３号証）
「本発明では、上記目的を達成するために、貯水槽１内の水面付近に浮遊する浮子２により開閉されるパイロット弁３を給水栓本体４に備えたパイロット式の貯水槽用ボールタップにおいて、給水栓本体４内に市水供給部に連通する主流水路５０と、給水管５に連通した副流水路６０とを設け、パイロット弁３の開閉に連動して開閉する主弁体２４を給水栓本体４内に設け、上記主流水路５０と副流水路６０とを主弁体２４の開閉移動にて開閉される通水路７０にて連通し、パイロット弁３の閉動作後に時間差を持たせて主弁体２４にて通水路７０を閉じる動作遅延手段Ａを給水栓本体４に設けたものである。」（明細書の段落番号【００１０】）
　
（３）対比、判断
（ａ）本件発明１について
　本件発明１と引用発明１とを対比すると、引用発明１の「市水」及び「井水」は、それぞれ本件発明１の「水道水」及び「地下水」に対応し、引用発明１は、下限レベルより上位のある基準より水位が下がれば井戸ポンプを運転するものであるから、通常の減水に対して、ある下限レベル以下に水位が低下しない場合には、井水を優先させることは明らかである。したがって、両発明は、
「１個の受水槽に、水道水と地下水の両方を供給し、通常の減水に対しては地下水を優先して供給する水の供給方法。」
の点で一致しており、以下の点で一応相違している。
相違点：地下水に関して、本件発明１が、深井戸から汲み上げた後濾過されて飲料水に適合した水質の地下水を用いているのに対し、引用発明１は、どのような水質のものか明らかでない点。
　上記相違点に関し検討する。
　地下水を深井戸から汲み上げた後濾過して飲料水に適合した水質とすることは、従来周知（例えば、特開平４−１１９９９号公報）の事項であるから、該事項は刊行物１に記載されていたに等しいものと認められ、本件発明１と引用発明１は、実質的に同一なものである。
　
（ｂ）本件発明２について
　本件発明２と引用発明１とを対比すると、引用発明１の「市水」及び「井水」は、それぞれ本件発明１の「水道水」及び「地下水」に対応し、引用発明１は、通常の減水に対して、ある下限レベル以下に水位が低下しない場合には、井水を優先させることは明らかであるから、両発明は、
「１個の受水槽に、水道水と地下水の両方を供給し、通常の減水に対しては地下水を優先して供給する水の供給方法。」
の点で一致し、以下の点で相違している。
相違点１：地下水に関して、本件発明２が、深井戸から汲み上げた後濾過されて飲料水に適合した水質の地下水を用いているのに対し、引用発明１は、どのような水質のものか明らかでない点。
相違点２：本件発明２が、地下水の供給系統が不作動のときには水道水を供給するのに対し、引用発明１は、そのようになっていない点。
　上記相違点１については、上記「（ａ）本件発明１について」で検討したとおりである。
　上記相違点２に関し検討する。
　供給系統が２系統ある場合、一方の系統が不作動のときは、他方の系統を作動させることは当然の事項であり、該事項を引用発明１に適用し、上記相違点２に係る構成とすることは当業者が容易に想到し得るものである。
　
（ｃ）本件発明３について
　引用発明２の「市水供給管」、「井水供給管」、及び「受水槽内の水位が基準より低下したとき」は、それぞれ本件発明３の「水道水供給管」、「地下水供給管」、及び「該受水槽内の水位が満水状態から一定値まで低下したとき」に対応し、引用発明２の「井戸ポンプを運転」及び「井戸ポンプを停止」は、「地下水供給管から給水」及び「地下水供給管からの給水を停止」することであるから、両発明は、
「１個の受水槽に、水道水供給管と地下水供給管を接続し、前記受水槽内の水位が満水状態から一定値まで低下したときに地下水供給管から給水し、水位が元の満水状態に復帰したときに地下水供給管からの給水を停止する水の供給方法。」
の点で一致し、以下の点で相違している。
相違点１：地下水に関して、本件発明３が、深井戸から汲み上げた後濾過されて飲料水に適合した水質の地下水を用いているのに対し、引用発明２は、どのような水質のものか明らかでない点。
相違点２：本件発明３が、地下水の供給系統が不作動のときには水道水供給管から給水するように制御するのに対し、引用発明２は、そのようになっていない点。
相違点３：給水の制御手段に関して、本件発明３は、バルブの開閉で行っているのに対し、引用発明２は、井水に関しては井戸ポンプの運転停止で行い、市水に関しては明らかでない点。
　上記相違点１については、「（ａ）本件発明１について」で検討したとおりである。
　上記相違点２に関し検討する。
　供給系統が２系統ある場合、一方の系統が不作動のときは、他方の系統を作動させることは当然の事項であり、該事項を引用発明２に適用し、上記相違点２に係る構成とすることは当業者が容易に想到し得るものである。
　上記相違点３に関し検討する。
　給水の制御手段としてバルブの開閉で制御することは刊行物２に記載されており、該事項を引用発明２に適用し、上記相違点３に係る構成とすることは当業者が容易に想到し得るものである。
　
（ｄ）本件発明４について
　本件発明４と引用発明３とを対比すると、引用発明３の「井水供給管」、「市水供給管」、及び「水位センサ」は、それぞれ本件発明４の「地下水供給管」、「水道水供給管」、及び「レベルセンサ」に対応するから、両発明は、
「１個の受水槽に、それぞれ地下水供給管と水道水供給管を接続すると共に、レベルセンサにより、水道水供給管と地下水供給管からの水の給水をを制御する機構を設けた水の供給装置。」
の点で一致し、以下の点で相違している。
相違点１：地下水に関して、本件発明４が、深井戸から汲み上げた後濾過されて飲料水に適合した水質の地下水を用いているのに対し、引用発明３は、どのような水質のものか明らかでない点。
相違点２：制御機構に関して、本件発明４が、受水槽内の水の水位が第１の設定値以下に低下したことと、水の供給によって該第１の設定値まで水位が上昇したことを検出する第１のレベルセンサと、水位が前記第１の設定値になったことと水の供給により第１の設定値より高いところの第２の設定値に達したことを検出する第２のレベルセンサとを設け、前記第１のレベルセンサの出力信号により、水道水供給管のバルブ開閉を制御し、第２のレベルセンサの出力信号により、地下水供給管のバルブ開閉を制御する機構であるのに対し、引用発明３は、そのようになっていない点。
　上記相違点１については、「（ａ）本件発明１について」で検討したとおりである。
　上記相違点２に関し検討する。
　本件明細書全体の記載から、第１の設定値、第２の設定値には上下の幅があるものと認められ、刊行物２には、水道水と水道水以外の供給源からの水供給制御機構に関して、受水槽内の水の水位が第１の設定値（Ｂの水位）以下に低下したことと、水の供給によって該第１の設定値（Ｃの水位）まで水位が上昇したことを検出する第１のレベルセンサと、水位が前記第１の設定値になったことと水の供給により第１の設定値より高いところの第２の設定値（Ｄ、Ｅの水位）に達したことを検出する第２のレベルセンサとを設け、前記第１のレベルセンサの出力信号により、水道水供給管のバルブ開閉を制御し、第２のレベルセンサの出力信号により、水道水以外の水供給管のバルブ開閉を制御する機構が記載されており、該事項を引用発明３に適用し、上記相違点２に係る構成とすることは当業者が容易に想到し得るものである。
　
（ｅ）本件発明５について
　本件発明５は、本件発明４を引用し、本件発明４の構成を「地下水供給管に接続された第１のレベルセンサが、受水槽に設けたボールタップ式のパイロットバルブである」と技術的に限定したものであるから、この限定した事項について検討する。
　水位センサとして、ボールタップ式のパイロットバルブを用いることは刊行物３に記載されており、該事項を引用発明３に適用し、上記限定事項に係る構成とすることは当業者が容易に想到し得るものである。
　
（４）むすび
　以上のとおりであるから、本件発明１は、その出願前に頒布された刊行物に記載された発明であり、本件発明２〜５は、その出願日前に頒布された刊行物に記載された発明に基いて当業者が容易に発明をすることができたものであるから、本件発明１〜５についての特許は、特許法第２９条第１項第３号あるいは第２項の規定に違反してなされたものである。
　したがって、本件発明１〜５についての特許は、特許法第１１３条第２号に該当し、取り消されるべきものである。
　よって、結論のとおり決定する。             
【異議決定日】
平成１４年１１月５日（２００２．１１．５）
【訂正の要旨】
審決（決定）の【理由】欄参照。
（５４）【発明の名称】
水の供給方法とその装置
（５７）【特許請求の範囲】
　【請求項１】
　１個の受水槽に
、
深井戸から汲み上げた後濾過されて飲料水に適合した水質の
　【請求項２】
　１個の受水槽に
、
深井戸から汲み上げた後濾過されて飲料水に適合した水質の
　【請求項３】
　１個の受水槽に、それぞれバルブを接続した水道水供給管と
深井戸から汲み上げた後濾過されて飲料水に適合した水質の
前記受水
　【請求項４】
　１個の受水槽に、それぞれバルブを接続した
深井戸から汲み上げた後濾過されて飲料水に適合した水質の
前記
　【請求項５】
　前記
水道水
設けた
の
【発明の詳細な説明】
　【０００１】
　【発明の属する技術分野】
　本発明は、デパート、スーパーマーケット、量販店、学校、病院、スイミングスクールその他、水を大量に消費する施設に実施する水の供給装置に関するものである。
　【０００２】
　【従来の技術】
　上記のような水を大量に消費する施設では、水道水の料金が非常に多くなり、年間の水道料金が数千万円になることも決して珍しいことではない。このため、この料金が物価や手数料に反映することになる。そこで節水を検討することになるが、それにも限度があり、単なる節水ではそれほどの効果を期待することができない。
　【０００３】
　そこで着目されたものに地下水（井戸水）がある。地下水は通常の使用に対しては無限にあると言っても過言ではなく、地下水自体に料金は掛からないから、これを使用すれば、水に対する経費を大幅に節減できることになる。地下水を利用する上において問題となるのは、各種細菌の混入である。しかしながらこの細菌は、地表から余り深くない浅井戸（深さ約１０ｍ位）に多く存在し、不透水層を１〜３層以上掘り下げた、いわゆる深井戸には多くは存在しないことが知られている。
　【０００４】
　深井戸から汲み上げた地下水には、上記のように細菌は多くは存在しないが、それでも飲用に供するためには数段階の濾過をして使用することになる。ここで図２について、本出願人によって開発された井戸水の濾過装置を説明する。深井戸１には図示しない揚水ポンプが設けられており、汲み上げた地下水（被処理水）をパイプ２によって原水槽３の上方に導くようになっている。原水槽３の大きさは、水質ならびに使用水量により決定される。
　【０００５】
　原水槽３からはパイプ４によって前濾過機５に導かれ、ここで濾過されて通常の飲料水に適合した水質になる。前濾過機５からはパイプ６によって前処理槽７に導かれた後、パイプ８によって膜濾過機９の下部に導かれる。膜濾過機９では被処理水が上昇する過程で膜濾過フィルタに通し、０．１ミクロンの精密膜濾過で、従来完全には除去できなかったＯ−１５７、クリプトスポリジウム、ジアルジアなどが完全に除去される。
　【０００６】
　膜濾過機９の上部からは、上記各細菌が除去された水がパイプ１０によって処理水槽１１に貯留され、使用者の要求により、随時水の供給ができるようになっている。１２はそのための地下水供給管、１３は水質監視システムである。
　【０００７】
　【発明が解決しようとする課題】
　上記地下水の濾過装置によれば、上質の安全な水を随時使用することができる。しかしながらこれだけを使用すると、予想しない停電でポンプが停止したときや、フィルタエレメントのメンテナンス時などに一時的に断水となることがある。そこで、上記のように処理した水を従来から使用している水道水と混合して使用することが考えられる。このようにすれば、通常は主として地下水を使用するようにし、これに水道水を適宜混合することによって、安定した供給がなされることになる。
　【０００８】
　しかしながら、地下水と水道水を単に混合するのみでは、一定の地下水を安定して供給することはできない。そこで両方の水の分量比を常に安定して供給する制御が必要になるが、従来は存在しなかった。
　【０００９】
　本発明はこの点に鑑みてなされたものであり、デパート、スーパーマーケット、量販店、学校、病院、スイミングスクールその他、水を大量に消費する施設に実施して好結果を得ることができる水の供給方法とその装置を提供しようとするものである。
　【００１０】
　【課題を解決するための手段】
　本発明は、上記課題を解決するための手段として、請求項１に記載した発明は、１個の受水槽に
、
深井戸から汲み上げた後濾過されて飲料水に適合した水質の
　【００１１】
　また、請求項２に記載した発明は、１個の受水槽に
、
深井戸から汲み上げた後濾過されて飲料水に適合した水質の
　【００１２】
　さらに、請求項３に記載した発明は、１個の受水槽に、それぞれバルブを接続した水道水供給管と
深井戸から汲み上げた後濾過されて飲料水に適合した水質の
前記受水
　【００１３】
　そして、請求項４に記載した発明は、１個の受水槽に、それぞれバルブを接続した
深井戸から汲み上げた後濾過されて飲料水に適合した水質の
前記
　【００１４】
　さらに、請求項５に記載した発明は、請求項４に記載したものにおいて、前記
水道水
設けた
の
　【００１５】
　このような構成とすれば、通常の使用に対しては
深井戸から汲み上げた後濾過されて飲料水に適合した水質の
　【００１６】
　【発明の実施の形態】
　以下、本発明の実施の形態を図１について説明する。受水槽１４は次に説明するように、上方から水道水あるいは地下水が供給されて一定の水位を保つようになっている。受水槽１４には底部近くに配水管１５が設けられ、貯留されている水１６を、水を使用するところに配水するようになっている。また受水槽１４の上端近くにはオーバーフロー管１７が設けられ、水位が異常に上昇したときに、その水を外部に排出するようになっている。
　【００１７】
　受水槽１４の上方には、２本の水道水供給管１８，１９と、１本の地下水供給管２０の下端が開口している。水道水供給管１８はバルブ２１を介して水道源（水道配管）２２に接続されており、バルブ２１が開弁したとき、水道源２２から十分な量の水を受水槽１４内に放出する。後述するように、このバルブ２１は、次に説明するパイロットバルブ２３の作動に関連して開閉する。
　【００１８】
　水道水供給管１９の基端はバルブ２１に接続されており、バルブ２１が閉じていても水道源２２からの水の一部を受けるようになっている。そして受水槽１４の内部に設けられたボールタップ（フロート）２４が設定値より降下したとき（水位が下がったとき）パイロットバルブ２３が開弁して、水道水供給管１９に水を流すようになっている。水道水供給管１９に水が流れるとバルブ２１はそれを検出し、大きく開弁して水道水供給管１８から十分な量の水を受水槽１４に放出するようになっている。このように作動するパイロットバルブ２３は、本発明において第１のレベルセンサとして機能する。
　【００１９】
　パイロットバルブ２３には、本発明によって電磁バルブ２５が並列に接続されている。この電磁バルブ２５はソレノイド２６に通電されたときに閉弁し、通電のないときに開弁するものである。
　【００２０】
　前述のように、受水槽１４の上部には、濾過処理された地下水を供給する地下水供給管２０の下端が開口している。この地下水供給管２０は電磁バルブ２７を介して地下水供給管１２の先端に接続されており、地下水供給管１２は処理水槽１１に接続されている（図２参照）。電磁バルブ２７も電磁バルブ２６と同様に、ソレノイド２８への通電制御を行うことにより、開閉する。
　【００２１】
　受水槽１４の上部には、長さが異なる（順次短くなる）６本の電極２９ａ，２９ｂ，２９ｃ，２９ｄ，２９ｅおよび２９ｆを有するレベルセンサ２９が設けられている。もっとも長い電極２９ａの下端は受水槽１４の底部近くまで延びており、アースとして機能するようになっている。次に長い電極２９ｂの下端は、水位の第４のレベルＤの高さに位置し、電極２９ｃは水位の第３のレベルＣの高さに位置する。後述するが、水１６が第４のレベルＤまで降下すると水道水が入り、第３のレベルＣまで上昇すると停止する。
　【００２２】
　電極２９ｃより少し短い電極２９ｄの下端は第２のレベルＢの高さに位置し、電極２９ｅの下端は第１のレベルＡの高さに位置する。第１のレベルＡは満水のレベルであり、水１６を使用することにより水位が低下して第２のレベルＢになると、第１のレベルＡまで地下水が供給される。電極２９ｆの下端は第１のレベルＡよりさらに高いところにあり、なんらかの理由によって水位が異常に上昇して電極２９ｆの下端に達したとき、これを検知するようになっている。
　【００２３】
　レベルセンサ２９には３本の信号線３０，３１，３２が設けられており、信号線３０はソレノイド２８に、また信号線３１はソレノイド２６に、さらに信号線３２はアラーム３３に接続されている。
　【００２４】
　このように構成されたこの装置を使用すると、水の供給方法の発明を実現することができる。すなわち、極端に大量の水を使用することにより、受水槽１４内の水位が第４のレベルＤより低下したときには、レベルセンサ２９の電極２９ｂがこれを検知してソレノイド２６への通電を絶つことにより電磁バルブ２５を開き、バルブ２１も開いて水道水が供給される。この給水により水位が上昇したことを電極２９ｃが検知すると電磁バルブ２５が閉じ、バルブ２１も閉じて水道水は停止する。前述のように電磁バルブ２５は通電されないときに開弁するので、何らかの事由によってレベルセンサ２９からの信号が出力されないときには開弁状態が継続し、水位の制御はボールタップ２４によって行われることになる。
　【００２５】
　水位が第２のレベルＢとなったことを、電極２９ｄでレベルセンサ２９が検出したときには、レベルセンサ２９はソレノイド２８に通電して電磁バルブ２７を開き、処理水槽１１からの地下水を供給する。地下水の供給により水位が第１のレベルＡに復帰すると、レベルセンサ２９はソレノイド２８への通電を停止する。このように、第１のレベルＡと第２のレベルＢの間は、地下水のみの供給で水位が保たれる。すなわち、１個の受水槽１４に水道水と地下水の両方を供給し、通常の減水に対しては地下水のみを補給することになる。
　【００２６】
　レベルセンサ２９には、第３のレベルＣに位置する電極２９ｃが設けられているので、水位がこれより低下したことを検出することができる。通常は水位がこれより低下し
て第４レベルＤまで降下し
ｂ
　【００２７】
　水位が正常時の第１のレベルＡより低くなったとき、その低下位置が第２のレベルＢまでの間は、レベルセンサ２９の作動により、地下水が供給されて第１のレベルＡを保つような制御が行われるが、地下水の供給系統に故障が発生したときには、水位が第１のレベルＡより低下しても地下水の供給が行われないので、水量が不足する虞がある。このときには、ボールタップ２４が低下し、レベルＡまで水道水が供給されるので、渇水になることはない。
　【００２８】
　レベルセンサ２９の作動により、通常は水位が第１のレベルＡより高くなることはないが、なんらかの原因により水位が上昇したときには、その水はオーバーフロー管１７から外部に排出されるが、同時にレベルセンサ２９の作動により、アラーム３３が作動する。
　【００２９】
　以上説明した実施の形態では、レベルセンサ２９の出力信号で電磁バルブ２５，２７のソレノイド２６，２８を励磁するように説明したが、実際には、この間に適当な制御回路を挿入することになることが多い。
　【００３０】
　【発明の効果】
　本発明は、以上説明したように構成された水の供給方法とその装置であるから、請求項１ないし３の発明によれば、受水槽に
、
深井戸から汲み上げた後濾過されて飲料水に適合した水質の
【図面の簡単な説明】
　【図１】　本発明の実施の形態を示す系統図である。
　【図２】　井戸水の濾過装置を示す系統図である。
　【符号の説明】
　１１　処理水槽
　１２　地下水供給管
　１４　受水槽
　１８　水道水供給管
　１９　水道水供給管
　２０　地下水供給管
　２１　バルブ
　２２　水道源
　２３　パイロットバルブ
　２４　ボールタップ
　２５　電磁バルブ
　２７　電磁バルブ
　２９　レベルセンサ